(57)【特許請求の範囲】
【請求項１】
建築物又は構築物の壁又は間仕切りに出隅部を形成するように、互いに角度を成して延在する、第一及び第二の壁面と、前記出隅部に接着され、かつ、前記出隅部の両側方に一対の側縁部を有する、出隅保護部材と、前記出隅保護部材の前記側縁部のうちの一方の側縁部に沿って出隅側端面を有し、かつ、前記第一の壁面に固定された、第一の壁材と、前記出隅保護部材の前記側縁部のうちの他方の側縁部に沿って出隅側端面を有し、かつ、前記第二の壁面に固定された、第二の壁材と、前記第一の壁材の前記出隅側端面から前記第一の壁面に向かって傾斜するように、前記第一の壁材に形成された、第一の係止面と、前記第二の壁材の前記出隅側端面から前記第二の壁面に向かって傾斜するように、前記第二の壁材に形成された、第二の係止面と、前記第一の係止面に係合するように、前記出隅保護部材の前記一方の側縁部に形成された、第一の係合部と、前記第二の係止面に係合するように、前記出隅保護部材の前記他方の側縁部に形成された、第二の係合部を有し、前記第一及び第二の壁面は、軽量鉄骨材からなるスタッドに複数の壁材を重ね合わせた耐火構造壁の壁面であり、前記重ね合わせた複数の壁材は、少なくとも、前記第一の壁材の前記出隅側端面から、前記第一及び第二の下記面の前記出隅部を経て、前記第二の壁材の前記出隅側端面に至る領域に対応する範囲に延在し、前記出隅保護部材の外表面は、前記第一の壁材の外表面と前記第二の壁材の外表面に平坦状に連続することを特徴とする、壁や間仕切りの出隅部の保護構造。
【請求項２】
請求項１に記載の保護構造において、前記第一の壁材は前記第一の壁面に隣接する裏面を有し、前記第二の壁材は前記第二の壁面に隣接する裏面を有し、前記第一の壁材に、前記第一の壁材の前記出隅側端面と前記第一の壁材の前記裏面との間に延在する切欠部を形成し、前記第二の壁材に、前記第二の壁材の前記出隅側端面と前記第二の壁材の前記裏面との間に延在する切欠部を形成し、前記第一の壁材の前記切欠部に前記第一の係止面を形成し、前記第二の壁材の前記切欠部に前記第二の係止面を形成したことを特徴とする、前記保護構造。
【請求項３】
請求項１又は２に記載の保護構造において、前記出隅保護部材は、前記出隅部に接着された基台部材と、前記基台部材に取り付けられた外殻部材を含み、前記基台部材は、前記出隅部の稜線に沿って配置された稜線部と、前記稜線部から前記第一の壁面に沿って延在する第一の板状部と、前記稜線部から前記第二の壁面に沿って延在する第二の板状部と、前記第一及び第二の板状部に立設された外殻部材係止片と、前記第一の係止面に係合するように、前記第一の板状部の側縁部に形成された、前記第一の係合部と、前記第二の係止面に係合するように、前記第二の板状部の側縁部に形成された、前記第二の係合部を有し、前記外殻部材は、前記外殻部材係止片と係合する係合爪を有することを特徴とする、前記保護構造。
【発明の詳細な説明】
【技術分野】
【０００１】
本発明は、建築物や構築物の壁や間仕切りの出隅部の保護構造に関するものである。
【背景技術】
【０００２】
従来、建築物や構築物の壁や間仕切りの出隅部を保護するため、壁や間仕切りの構造を考慮して、種々の出隅部材が提案されている。例えば、実開昭６０−１１２５３５号公報には、建築物の壁面や柱体の躯体１４の出隅部分に装着される出隅部材Ａが開示される。出隅部材Ａは、硬質合成樹脂によって構成された固定部材１と、軟質合成樹脂によって構成された弾性条体２とによって構成され、弾性条体２はその成形時に固定部材１に一体化される。出隅部材Ａは、第３図のように、固定部材１の当付辺４、４を躯体１４の出隅部分に当付け、これをモルタルで押さえて仮固定し、出隅部材Ａの仕切辺５，５を境としてモルタルを塗って仕上げられる。仕上げ用モルタル１３に代えて、石膏ボード等の化粧板１５を用いることができる。化粧板１５、１５を張着する場合には、第４図のように、化粧板１５、１５の端部を仕切辺５、５に突き合せて仕上げられる。
【０００３】
特開２００９−１３７１５１号公報には、壁面Ｗの出隅部材として使用される複合材１が開示される。複合材１は、出隅を形成する断面中空四角形状の装飾部２と、装飾部２の一角部に形成された切欠部４と、切欠部４から延設された支持片３、３を有する(段落番号００１０)。複合材１は、図２のように、装飾部２を壁面Ｗの出隅に配置し、支持片３、３を壁面Ｗに当接させ、パネルＰの裏面を支持片３、３に当接し、パネルＰの端面を装飾部２に突き当てることによって、取り付けられる。
【０００４】
実開平６−３７４３６号公報には、布張り、紙張り、化粧合板等で仕上げた建物の壁、天井の壁の出隅部、入り隅部に使用する化粧縁が開示されている。この化粧縁を使用した内壁の出隅部の納まりの横断面が、図２に記載されている。受け材Ｕは、表出させた出隅部の縦胴縁７にねじで着脱可能に取り付けられる。化粧材Ｋは、係合片４を一対の被係合片２の間に押し込んで、受け材Ｕに取り付けられる。この状態で、化粧材Ｋの側縁部は壁８の上に被さり、表出させた胴縁６、７と布張りの端末部は隠蔽される。
【０００５】
近年、鉄骨住宅や鉄筋コンクリート住宅やマンション等では、壁や間仕切りの壁下地を軽鉄壁下地工法（ＬＧＳ工法）で施工する場合がある。この工法は、壁下地材の構成要素であるランナーとスタッドと振れ止めに、必要に応じてスペーサを組み合わせて、複数の区画を有する枠体を作り、この枠体に石膏ボード等の壁材を貼りつけて壁下地とする工法である。石膏ボード等の壁材の表面には、壁紙やクロス等の仕上げ材が貼られ、この仕上げ材の表面には、石膏ボードや仕上げ材をストレッチャーや車椅子等の衝突から保護するため、種々の保護材が取り付けられる。これらの保護材のうち、壁面の出隅部を保護するための出隅保護部材、所謂、コーナーガードは、壁下地の骨材であるスタッドにタッピンねじ等で固定される。軽鉄壁下地工法（ＬＧＳ工法）で施工された壁下地に、二枚の石膏ボードを貼りつけて、耐火構造壁を施工する場合には、壁面の出隅部にも二枚の石膏ボードが重ね合わされるから、出隅部の稜線からスタッドまでの距離が大きくならざるを得ない。このため、出隅保護部材をタッピンねじでスタッドに固定するためには、出隅保護部材を出隅部の稜線の両側方へ延長しなければならない。したがって、出隅保護部材の小型化が困難であった。出隅保護部材をタッピンねじでスタッドに固定する代わりに、接着剤や両面テープで接着することにすれば、出隅保護部材を出隅部の稜線の両側方へ延長する必要はないから、出隅保護部材の小型化を図ることはできる。しかし、出隅保護部材を壁紙やクロス等の仕上げ材に接着するのみでは、十分な接着力が得られない場合がある。
【先行技術文献】
【特許文献】
【０００６】
【特許文献１】実開昭６０−１１２５３５号公報
【特許文献２】特開２００９―１３７１５１号公報
【特許文献３】実開平６―３７４３６号公報
【発明の概要】
【発明が解決しようとする課題】
【０００７】
本発明の目的は、出隅保護部材を小型化することができると共に、出隅保護部材が壁面から脱落することを防止することができる、壁や間仕切りの出隅部の保護構造を提供することにある。
【０００８】
本発明の他の目的は、出隅保護部材が壁面から突出しないように、出隅保護部材の外表面を出隅保護部材の両側方の壁面と滑らかに連続させることができる、壁や間仕切りの出隅部の保護構造を提供することにある。
【０００９】
本発明の更に他の目的は、施工が容易であり、軽鉄壁下地工法（ＬＧＳ工法）を含む種々の施工方法で施工された壁下地に適用することができる、壁や間仕切りの出隅部の保護構造を提供することにある。
【課題を解決するための手段】
【００１０】
本発明の壁や間仕切りの出隅部の保護構造は、建築物又は構築物の壁又は間仕切りに出隅部を形成するように、互いに角度を成して延在する、第一及び第二の壁面と、前記出隅部に接着され、かつ、前記出隅部の両側方に一対の側縁部を有する、出隅保護部材と、前記出隅保護部材の前記側縁部のうちの一方の側縁部に沿って出隅側端面を有し、かつ、前記第一の壁面に固定された、第一の壁材と、前記出隅保護部材の前記側縁部のうちの他方の側縁部に沿って出隅側端面を有し、かつ、前記第二の壁面に固定された、第二の壁材と、前記第一の壁材の前記出隅側端面から前記第一の壁面に向かって傾斜するように、前記第一の壁材に形成された、第一の係止面と、前記第二の壁材の前記出隅側端面から前記第二の壁面に向かって傾斜するように、前記第二の壁材に形成された、第二の係止面と、前記第一の係止面に係合するように、前記出隅保護部材の前記一方の側縁部に形成された、第一の係合部と、前記第二の係止面に係合するように、前記出隅保護部材の前記他方の側縁部に形成された、第二の係合部を有し、前記第一及び第二の壁面は、軽量鉄骨材からなるスタッドに複数の壁材を重ね合わせた耐火構造壁の壁面であり、前記重ね合わせた複数の壁材は、少なくとも、前記第一の壁材の前記出隅側端面から、前記第一及び第二の下記面の前記出隅部を経て、前記第二の壁材の前記出隅側端面に至る領域に対応する範囲に延在し、前記出隅保護部材の外表面は、前記第一の壁材の外表面と前記第二の壁材の外表面に平坦状に連続することを特徴とする。
【００１１】
本発明の壁や間仕切りの出隅部の保護構造は、また、前記第一の壁材は前記第一の壁面に隣接する裏面を有し、前記第二の壁材は前記第二の壁面に隣接する裏面を有し、前記第一の壁材に、前記第一の壁材の前記出隅側端面と前記第一の壁材の前記裏面との間に延在する切欠部を形成し、前記第二の壁材に、前記第二の壁材の前記出隅側端面と前記第二の壁材の前記裏面との間に延在する切欠部を形成し、前記第一の壁材の前記切欠部に前記第一の係止面を形成し、前記第二の壁材の前記切欠部に前記第二の係止面を形成したことを特徴とする。
【００１２】
本発明の壁や間仕切りの出隅部の保護構造は、また、前記第一の壁材の前記出隅側端面と前記第一の壁材の前記裏面の間の角部に面取り加工を施すことによって、前記第一の壁材に前記切欠部と前記第一の係止面を形成し、前記第二の壁材の前記出隅側端面と前記第二の壁材の前記裏面の間の角部に面取り加工を施すことによって、前記第二の壁材に前記切欠部と前記第二の係止面を形成したことを特徴とする。
【００１３】
本発明の壁や間仕切りの出隅部の保護構造は、また、前記出隅保護部材の前記一方の側縁部は、前記第一の壁材の前記出隅側端面に当接する第一の壁材側端面を有し、前記出隅保護部材の前記他方の側縁部は、前記第二の壁材の前記出隅側端面に当接する第二の壁材側端面を有することを特徴とする。
【００１４】
本発明の壁や間仕切りの出隅部の保護構造は、前記第一の係合部は、前記第一の壁面に沿って延在する面と前記第一の係止面に沿って延在する面を有する楔状の突条によって構成され、前記第二の係合部は、前記第二の壁面に沿って延在する面と前記第二の係止面に沿って延在する面を有する楔状の突条によって構成されていることを特徴とする。
【００１５】
本発明の壁や間仕切りの出隅部の保護構造は、また、前記第一の係合部は、前記第一の壁面に沿って延在する面を有する方形断面の突条によって構成され、前記第二の係合部は、前記第二の壁面に沿って延在する面を有する方形断面の突条によって構成されていることを特徴とする。
【００１７】
本発明の壁や間仕切りの出隅部の保護構造は、また、前記第一及び第二の壁面は、複数の壁材を重ね合わせた耐火構造壁の壁面であることを特徴とする。
【００１８】
本発明の壁や間仕切りの出隅部の保護構造は、前記出隅保護部材は、前記出隅部に接着された基台部材と、前記基台部材に取り付けられた外殻部材を含み、前記基台部材は、前記出隅部の稜線に沿って配置された稜線部と、前記稜線部から前記第一の壁面に沿って延在する第一の板状部と、前記稜線部から前記第二の壁面に沿って延在する第二の板状部と、前記第一及び第二の板状部に立設された外殻部材係止片と、前記第一の係止面に係合するように、前記第一の板状部の側縁部に形成された、前記第一の係合部と、前記第二の係止面に係合するように、前記第二の板状部の側縁部に形成された、前記第二の係合部を有し、前記外殻部材は、前記外殻部材係止片と係合する係合爪を有することを特徴とする。
【００１９】
本発明の壁や間仕切りの出隅部の保護構造は、また、前記基台部材と前記外殻部材の間に空間を画成したことを特徴とする。
【００２０】
本発明の壁や間仕切りの出隅部の保護構造は、また、前記空間の上部開口を閉鎖する上部キャップ部材と前記空間の下部開口を閉鎖する下部キャップ部材を有することを特徴とする。
【００２１】
本発明の壁や間仕切りの出隅部の保護構造は、前記第一の板状部の前記側縁部は、前記第一の壁材の前記出隅側端面に当接する前記第一の壁材側端面を有し、前記第二の板状部の前記側縁部は、前記第二の壁材の前記出隅側端面に当接する第二の壁材側端面を有することを特徴とする。
【００２２】
本発明の壁や間仕切りの出隅部の保護構造は、前記第一の係合部は、前記第一の壁面に沿って延在する面と前記第一の係止面に沿って延在する面を有する楔状の突条によって構成され、前記第二の係合部は、前記第二の壁面に沿って延在する面と前記第二の係止面に沿って延在する面を有する楔状の突条によって構成されていることを特徴とする。
【発明の効果】
【００２３】
本発明の壁や間仕切りの出隅部の保護構造によれば、壁面の出隅部に出隅保護部材を接着すると共に、出隅保護部材の一対の側縁部にそれぞれ隣接するように配置された壁材によって、出隅保護部材の一対の側縁部がそれぞれ壁面から剥離しないように係止したから、出隅保護部材が壁面から脱落することを防止することができる。
【００２４】
出隅保護部材をタッピンねじによって壁下地の骨材に固定する場合には、壁下地の骨材の位置に合わせて出隅保護部材の寸法や形状を定めなければならないが、本発明の壁や間仕切りの出隅部の保護構造では、出隅保護部材を壁面の出隅部に接着するから、出隅保護部材の寸法や形状を壁下地の骨材の位置に無関係に定めることができる。また、本発明の出隅部の保護構造では、出隅保護部材を壁面の出隅部に接着するから、壁下地の出隅部の壁構造には無関係に出隅保護部材を固定することができる。よって、本発明によれば、種々の壁構造の出隅部に出隅保護部材を取付けることができる。例えば、出隅保護部材が接着される壁面は、複数の壁材を重ね合わせた耐火構造壁の壁面であることができる。なお、ここにいう接着には、接着剤による接着や両面テープによる接着が含まれる。
【００２５】
本発明の壁や間仕切りの出隅部の保護構造によれば、出隅保護部材の側縁部を壁材の傾斜面に係合させたから、出隅保護部材にストレッチャーや車椅子等が衝突して出隅保護部材が受けた衝撃力は壁材の傾斜面によって受けられる。第一の壁面に固定された第一の壁材の傾斜面は、第一の壁材の出隅側端面から第一の壁面に向かって傾斜し、第二の壁面に固定された第二の壁材の傾斜面は、第二の壁材の出隅側端面から第二の壁面に向かって傾斜する。よって、第一の壁材の傾斜面に作用した衝撃力の第一の壁面に垂直な方向の成分は、この傾斜面に作用した衝撃力よりも小さい。この衝撃力の第一の壁面に垂直な方向の成分は、第一の壁材を第一の壁面から引き剥がそうとする力であるから、第一の壁材のこの傾斜面によって、第一の壁材の引き剥がし力が減殺されることになる。そして、第一の壁材の引き剥がし力が減殺されれば、出隅保護部材の係止力が維持される。第二の壁面に固定された第二の壁材の傾斜面も、第一の壁材の傾斜面と同様の作用をする。
【００２６】
なお、第一の壁材の出隅側端面と第二の壁材の出隅側端面は、それぞれ、第一の壁面と第二の壁面に鉛直な平面で構成することができる。また、出隅保護部材の前記一方の側縁部に、第一の壁材の出隅側端面に当接する第一の壁材側端面を形成し、出隅保護部材の他方の側縁部に、第二の壁材の出隅側端面に当接する第二の壁材側端面を形成することができる。これにより、出隅保護部材の外表面を、第一の壁材の外表面と第二の壁材の外表面に平坦状に連続させることができる。
【００２７】
本発明の第一及び第二の壁材に傾斜面を形成するに際しては、これらの壁材の出隅側端面とこれらの壁材の裏面との間に延在する切欠部を形成し、この傾斜面をこれらの切欠部に形成することができる。切欠部の形状や寸法は任意に選択することができる。これらの切欠部は、壁材の出隅側端面と裏面の間の角部に面取り加工を施すことによって、形成することができる。これらの切欠部を壁材の面取り加工によって形成すれば、切欠部と傾斜面を同時に形成することができる。これにより、本発明の施工が容易になる。
【００２８】
本発明の出隅部の保護構造では、出隅保護部材の側縁部を壁材の傾斜面に係合させるが、この傾斜面に係合する出隅保護部材の係合部は、壁面に沿って延在する面と傾斜面に沿って延在する面とを有する楔状の突条によって構成することができる。楔状の突条は、出隅保護部材の長手方向に延在し、壁面と壁材の傾斜面に係合する。壁材の傾斜面に係合する出隅保護部材の係合部は、また、壁面に沿って延在する面を有する方形断面の突条によって構成することもできる。これらの突条は、出隅保護部材又はその構成要素に一体成形可能であるから、これらの突条を容易に形成することができる。
【００２９】
本発明の出隅部の保護構造に使用される出隅保護部材は、合成樹脂等の一体成形で製造することもできるが、出隅部に接着される基台部材と、この基台部材に取り付けられる外殻部材によって構成することもできる。出隅保護部材を基台部材と外殻部材の二部材によって構成すれば、これらの部材を異なる材質で形成することができる。例えば、基台部材を金属製とし、外殻部材を合成樹脂製とする等である。もっとも、基台部材と外殻部材を共に合成樹脂製とすることもできる。基台部材は壁面に接着され、外殻部材は、その係合爪を基台部材の外殻部材係止片に係合させて、基台部材に取り付けられる。出隅保護部材を基台部材と外殻部材の二部材によって構成すれば、基台部材と外殻部材を別個に取り付けることができるから、基台部材の位置合わせが容易になり、本発明の出隅部の保護構造の施工が容易になる。
【００３０】
基台部材は、出隅部の稜線に沿って配置された稜線部と、この稜線部から第一の壁面に沿って延在する第一の板状部と、この稜線部から第二の壁面に沿って延在する第二の板状部とを有する。出隅保護部材の一対の側縁部は、第一及び第二の板状部の側縁部によって構成される。これらの板状部には、前述の外殻部材係止片が形成されるほか、板状部の側縁部には、壁材の傾斜面によって係止される係合部や壁材側端面が形成される。壁材の傾斜面と係合する係合部は、壁面に沿って延在する面と傾斜面に沿って延在する面とを有する楔状の突条によって構成することができる。基台部材も外殻部材も、合成樹脂材による一体成形で製造することができる。なお、基台部材と外殻部材の間に空間を画成すれば、この空間を、外殻部材にストレッチャーや車椅子等が衝突したときに外殻部材の変形を容易にする緩衝空間として利用することができる。また、基台部材と外殻部材の間に空間を画成したとき、この空間の上部開口を閉鎖する上部キャップ部材と、この空間の下部開口を閉鎖する下部キャップ部材を取付ければ、出隅保護部材の外観を良好にすることができるばかりでなく、この空間内に塵埃が進入することを防止することができる。
【００３１】
本発明の前述の特徴とその余の特徴は、図面を参照して説明する以下の実施例の記載から明らかになる。
【図面の簡単な説明】
【００３２】
【図１】図１（Ａ）は、二枚の石膏ボードを重ね張りした耐火構造壁に、楔状の突条を有する出隅部保護材を取付けた出隅部の拡大断面図であり、図１（Ｂ）は、この耐火構造壁に方形断面の突条を有する出隅保護部材を取付けた出隅部の拡大断面図である。（実施例１）
【図２】図２は、出隅保護部材の側縁部を係止するため、壁材に形成された係止面（傾斜面）の作用を説明するための模式図である。（実施例１、２、３）
【図３】図３は、基台部材と外殻部材を有する出隅保護部材を耐火構造壁に取り付けるときの分解断面図である。（実施例２）
【図４】図４は、基台部材を耐火構造壁の出隅部に取り付けるときの斜視図である。(実施例２)
【図５】図５は、図４の基台部材に上部キャップ部材を取付けたときの斜視図である。（実施例２）
【図６】図６は、図４の基台部材に下部キャップ部材を取付けたときの斜視図である。（実施例２）
【図７】図７は、図５の上部キャップ部材が取り付けられた基台部材に外殻部材を取付け、更に、壁材に壁紙又はクロスを貼りつけたときの斜視図である。(実施例２)
【図８】図８は、図６の下部キャップ部材の取付け状態の断面図である。（実施例２）
【図９】図９（Ａ）は、図３の基台部材を耐火構造壁の出隅部の一部に取り付けたときの分解斜視図であり、図９（Ｂ）は、図９（Ａ）の壁材の切欠き部の形態を示す要部断面図である。（実施例２）
【図１０】図１０は、図９の基台部材に外殻部材を取付けたときの斜視図である。(実施例２)
【図１１】図１１は、基台部材と外殻部材を有する出隅保護部材の他の実施例を耐火構造壁に取り付けたときの断面図である。（実施例３）
【図１２】図１２は、図１１の出隅保護部材の分解斜視図である。（実施例３）
【発明を実施するための形態】
【００３３】
耐火構造の申請を満足させるために、軽量鉄骨材に二枚の石膏ボードを重ね張りした壁構造又は間仕切り構造について、本発明の実施例を説明する。
【実施例１】
【００３４】
図１に示すように、耐火構造壁１は軽量鉄骨材からなるスタッド２に二枚の石膏ボード３及び４、５及び６を重ね張りして構成される。石膏ボード４及び６は、建築物又は構築物の壁又は間仕切りに出隅部７を形成するように、互いに角度を成して延在する、第一の壁面４ａと第二の壁面６ａを形成する。出隅保護部材８は、接着剤又は両面テープ９によって出隅部７に接着される。出隅保護部材８は、出隅部７の両側方に一対の側縁部８ａ、８ｂを有する。第一の壁材１０は第一の壁面４ａに固定され、出隅保護部材８の一方の側縁部８ａに沿って出隅側端面１０ａを有する。第二の壁材１１は第二の壁面６ａに固定され、出隅保護部材８の他方の側縁部８ｂに沿って出隅側端面１１ａを有する。出隅保護部材８の一方の側縁部８ａは、第一の壁材１０の出隅側端面１０ａに当接する第一の壁材側端面８ｃを有し、出隅保護部材８の他方の側縁部８ｂは、第二の壁材１１の出隅側端面１１ａに当接する第二の壁材側端面８ｄを有する。
【００３５】
第一の壁材１０は第一の壁面４ａに隣接する裏面１０ｂを有し、第二の壁材１１は第二の壁面６ａに隣接する裏面１１ｂを有する。第一の壁材１０に、出隅側端面１０ａと裏面１０ｂとの間に延在する切欠部１２を形成し、また、第二の壁材１１に、出隅側端面１１ａと裏面１１ｂとの間に延在する切欠部１３を形成する。切欠部１２には、第一の壁材１０の出隅側端面１０ａから第一の壁面４ａに向かって傾斜する第一の係止面１０ｃが形成される。また、第二の壁材１１の出隅側端面１１ａから第二の壁面６ａに向かって傾斜する第二の係止面１１ｃが形成される。
【００３６】
このとき、第一の壁材１０の出隅側端面１０ａと第一の壁材１０の裏面１０ｂの間の角部に面取り加工を施すことによって、切欠部１２と第一の係止面１０ｃを形成することができる。同様に、第二の壁材１１の出隅側端面１１ａと第二の壁材１１の裏面１１ｂの間の角部に面取り加工を施すことによって、切欠部１３と第二の係止面１１ｃを形成することができる。
【００３７】
そして、出隅保護部材８の一方の側縁部８ａには、第一の係止面１０ｃに係合するように、第一の係合部８ｅが形成され、出隅保護部材８の他方の側縁部８ｂには、第二の係止面１１ｃに係合するように、第二の係合部８ｆが形成される。ここで、図１（Ａ）に示すように、第一の係合部８ｅは、第一の壁面４ａに沿って延在する面と、第一の係止面１０ｃに沿って延在する面を有する、楔状の突条によって構成することができる。また、第二の係合部８ｆは、第二の壁面６ａに沿って延在する面と、第二の係止面１１ｃに沿って延在する面を有する、楔状の突条によって構成することができる。更に、図１（Ｂ）に示すように、第一の係合部８ｅと第二の係合部８ｆを方形断面の突条によって構成することもできる。
【００３８】
図１（Ａ）、（Ｂ）に示すように、出隅保護部材８の外表面８ｇは、第一の壁材１０の外表面１０ｄと第二の壁材１１の外表面１１ｄに滑らかに連続する。
【００３９】
図２は、出隅保護部材８の側縁部８ａ、８ｂを係止するため、壁材１０、１１に形成された係止面（傾斜面）１０ｃ、１１ｃの作用を説明するための模式図である。出隅保護部材８にストレッチャーや車椅子等が衝突することによって、出隅保護部材８が受けた衝撃力Ｆは、壁材１０、１１の傾斜面１０ｃ、１１ｃによって受けられる。傾斜面１０ｃ、１１ｃは、壁材１０、１１の出隅側端面１０ａ、１１ａから壁面４ａ、６ａに向かって傾斜するから、壁材１０、１１の傾斜面１０ａ、１１ａに作用した衝撃力Ｆの壁面４ａ、６ａに垂直な方向の成分ＦＶは衝撃力Ｆよりも小さい。衝撃力Ｆの壁面４ａ、６ａに垂直な方向の成分は、壁材１０、１１を壁面４ａ、６ａから引き剥がそうとする力であるから、壁材１０，１１に形成された傾斜面１０ａ、１１ａによって、壁材１０，１１の引き剥がし力が減殺される。したがって、壁材１０，１１の引き剥がし力が減殺された分だけ、出隅保護部材８の係止力を増大することができる。なお、図３中、参照番号ＦＰは、衝撃力Ｆの壁面４ａ、６ａに平行な成分を示す。
【実施例２】
【００４０】
図３乃至１０は本発明の第二実施例を示し、この実施例の特徴は、出隅保護部材が基台部材と外殻部材とによって構成されていることである。図３乃至１０中の参照番号で、図１及び２の参照番号と共通の番号は、第一実施例と第二実施例に共通の構成要素を示す。図３乃至８には、耐火構造壁１の出隅部７の全長に亘って出隅保護部材２０を設置する実施例が記載され、図９及び１０には、耐火構造壁１の出隅部７の一部に出隅保護部材２０を設置する実施例が記載されている。先ず、図３乃至８を参照すると、出隅保護部材２０は、出隅部７に接着された基台部材２１と、基台部材２１に取り付けられた外殻部材２２を有する。基台部材２１は、出隅部７の稜線７ａに沿って配置された稜線部２１ａと、稜線部２１ａから第一の壁面４ａに沿って延在する第一の板状部２１ｂと、稜線部２１ａから第二の壁面６ａに沿って延在する第二の板状部２１ｃとを有する。第一及び第二の板状部２１ｂ、２１ｃには、外殻部材係止片２１ｄ，２１ｄが立設されている。また、外殻部材２２には外殻部材係止片２１ｄ，２１ｄと係合する係合爪２２ａ、２２ｂを有する。
【００４１】
第一の板状部２１ｂの側縁部２１ｅには、第一の係止面(傾斜面)１０ｃに係合するように、第一の係合部２１ｇが形成され、第二の板状部２１ｃの側縁部２１ｆには、第二の係止面(傾斜面)１１ｃに係合するように、第二の係合部２１ｈが形成されている。また、第一の板状部２１ｂの側縁部２１ｅは、第一の壁材１０の出隅側端面１０ａに当接する第一の壁材側端面２１ｉを有し、第二の板状部２１ｃの側縁部２１ｆは、第二の壁材１１の出隅側端面１１ａに当接する第二の壁材側端面２１ｊを有する。そして、第一の係合部２１ｇは、第一の壁面４ａに沿って延在する面と、第一の係止面１０ｃに沿って延在する面とを有する、楔状の突条２１ｋによって構成され、第二の係合部２１ｈは、第二の壁面６ａに沿って延在する面と、第二の係止面１１ｃに沿って延在する面とを有する、楔状の突条２１ｌによって構成されている。
【００４２】
基台部材２１の外殻部材係止片２１ｄ，２１ｄと外殻部材２２の係合爪２２ａ、２２ｂを係合させると、基台部材２１と外殻部材２２の間に空間２３が画成される。この空間２３の上部の開口を閉鎖するため、図５及び７に示すように、出隅保護部材２０の上部に上部キャップ部材２４を取付け、また、この空間２３の下部の開口を閉鎖するため、図６及び８に示すように、出隅部材２０の下部に下部キャップ部材２５を取付けることができる。図中の参照番号２６は、基台部材２１に上部キャップ部材２４と下部キャップ部材２５を取付けるためのねじを示す。また、図７、８中の参照番号２７は、壁材１０、１１の外面に貼られた壁紙又はクロスである。
【００４３】
次に、図９及び１０を参照すると、耐火構造壁１の出隅部７の一部に出隅保護材２０を設置する実施例が記載されている。この実施例の特徴は、第一の壁材１０と第二の壁材１１に、出隅部材２０を収容するための切込み部１０ｅ、１１ｅを形成し、これらの切込み部１０ｅ、１１ｅに第一の係止面１０ｃと第二の係止面１１ｃを形成したことにある。また、図１０に示すように、壁材１０、１１の外面には壁紙又はクロス２７が貼られ、壁面の上部及び下部には巾木２８が取り付けられている。
【実施例３】
【００４４】
図１１及び１２は、本発明の第三実施例を示す。この実施例の出隅保護部材３０は、第二実施例の出隅保護部材２０と同様に、基台部材３１と外殻部材３２とによって構成されるが、出隅保護部材３０の特徴は、基台部材３１の中央部に一対の弾性支持板３１ｃ、３１ｄを形成したことにある。外殻部材３２は、基台部材３１の側縁部３１ａ、３１ｂに形成された外殻部材係止片３１ｅ、３１ｆに、係合爪３２ａ、３２ｂを係合させて、基台部材３１に係止されるが、このとき、図１１に示すように、一対の弾性支持板３１ｃ、３１ｄが外殻部材３２の内壁に当接し、外殻部材３２を弾性変形可能に補強する。その余の構成は、前述の第二実施例と同様である。
【符号の説明】
【００４５】
１    耐火構造壁
２    軽量鉄骨材（スタッド）
３    石膏ボード
４    石膏ボード
４ａ  第一の壁面
５    石膏ボード
６    石膏ボード
６ａ  第二の壁面
７    出隅部
８    出隅保護部材
８ａ、８ｂ  側縁部
８ｅ  第一の係合部
８ｆ  第二の係合部
９    接着剤又は両面テープ
１０  第一の壁材
１０ｃ  第一の係止面（傾斜面）
１１  第二の壁材
１１ｃ  第二の係止面（傾斜面）
１２、１３  切欠部
Ｆ    衝撃力
ＦＶ  壁材を壁面から引き剥がそうとする力
【図１】
0006530168.tif 000002
【図２】
0006530168.tif 000003
【図３】
0006530168.tif 000004
【図４】
0006530168.tif 000005
【図５】
0006530168.tif 000006
【図６】
0006530168.tif 000007
【図７】
0006530168.tif 000008
【図８】
0006530168.tif 000009
【図９】
0006530168.tif 000010
【図１０】
0006530168.tif 000011
【図１１】
0006530168.tif 000012
【図１２】
0006530168.tif 000013